(57)【要約】【課題】複数の被取付装置の取付作業の効率を向上できる取付装置を提供すること。【解決手段】実施形態によれば、取付装置は、プレート部材と、取付部と、固定機構と、を備える。前記プレート部材は、取付孔を有する被取付面に取り付けられるとともに、前記取付孔よりも大きい。前記取付け部は、前記プレート部材に複数設けられ、平面視で前記プレート部材の厚み方向に直交する第１の直線に沿って配置されるとともに、それぞれ、被取付装置が取付られる。前記固定機構は、前記プレート部材の前記第１の直線の両側の領域に少なくとも１つずつ設けられ、前記プレート部材を前記取付孔を覆う位置に固定する。【選択図】      図２
2020053135.tif 000002
【特許請求の範囲】
【請求項１】
取付孔を有する被取付面に取り付けられるとともに、前記取付孔よりも大きいプレート部材と；
前記プレート部材に複数設けられ、平面視で前記プレート部材の厚み方向に直交する第１の直線に沿って配置されるとともに、それぞれ、被取付装置が取付られる取付部と；
前記プレート部材の前記第１の直線の両側の領域に少なくとも１つずつ設けられ、前記プレート部材を前記取付孔を覆う位置に固定する複数の固定機構と；
を具備する取付装置。
【請求項２】
複数の前記取付部のそれぞれの中心は、前記プレート部材の中心からずれた位置に配置される
請求項１に記載の取付装置。
【請求項３】
前記固定機構は、前記プレート部材の中心を通り、前記第１の直線及び前記プレート部材の厚み方向に直交する第２の直線上に配置される
請求項１に記載の取付装置。
【請求項４】
複数の前記被取付装置の少なくとも１つは、バッテリを備える非常灯装置であり、
前記非常灯装置が取付られる前記取付部は、孔である
請求項１に記載の取付装置。
【請求項５】
取付孔を有する被取付面に取り付けられるとともに、前記取付孔よりも大きいプレート部材と；
前記プレート部材に複数設けられ、平面視で前記プレート部材の厚み方向に直交する第１の直線に沿って配置される取付部と；
前記プレート部材の前記第１の直線の両側の領域に少なくとも１つずつ設けられ、前記プレート部材を前記取付孔を覆う位置に固定する複数の固定機構と；
複数の前記取付部のそれぞれに１つずつ取り付けられた複数の照明装置と；
を具備した照明ユニット。
【発明の詳細な説明】
【技術分野】
【０００１】
本発明の実施形態は、例えば照明装置を天井に取付る取付装置、及び照明ユニットに関する。
【背景技術】
【０００２】
従前では、天井に照明装置を取付る際に、天井に照明装置用の取付用の孔を設けている。
【０００３】
また、既存の取付用の孔に取付られていた照明装置を、別の照明装置に付け替える際に、既存の孔が、当該別の照明装置の取付に適した孔に対して大きい場合に用いられるリニューアルプレートが知られている。
【先行技術文献】
【特許文献】
【０００４】
【特許文献１】特開２０１２−１９５１４６号公報
【発明の概要】
【発明が解決しようとする課題】
【０００５】
本発明が解決しようとする課題は、複数の被取付装置の取付先への取付作業の効率を向上できる取付装置を提供することである。
【課題を解決するための手段】
【０００６】
実施形態によれば、取付装置は、プレート部材と、取付部と、固定機構と、を備える。前記プレート部材は、取付孔を有する被取付面に取り付けられるとともに、前記取付孔よりも大きい。前記取付け部は、前記プレート部材に複数設けられ、平面視で前記プレート部材の厚み方向に直交する第１の直線に沿って配置されるとともに、それぞれ、被取付装置が取付られる。前記固定機構は、前記プレート部材の前記第１の直線の両側の領域に少なくとも１つずつ設けられ、前記プレート部材を前記取付孔を覆う位置に固定する。
【０００７】
実施形態によれば、照明装置は、プレート部材と、取付部と、固定機構と、照明装置と、を備える。前記プレート部材は、取付孔を有する被取付面に取り付けられるとともに、前記取付孔よりも大きい。前記取付け部は、前記プレート部材に複数設けられ、平面視で前記プレート部材の厚み方向に直交する第１の直線に沿って配置される。前記固定機構は、前記プレート部材の前記第１の直線の両側の領域に少なくとも１つずつ設けられ、前記プレート部材を前記取付孔を覆う位置に固定する。前記照明装置は、前記複数の取付部のそれぞれに１つずつ取り付けられる。
【発明の効果】
【０００８】
本発明は、天井への複数の被取付装置の取付作業の効率を向上できる取付装置を提供することが期待できる。
【図面の簡単な説明】
【０００９】
【図１】図１は、一実施形態に係る取付ユニットが天井に固定された状態を、天井を切り欠いて示す側面図である。
【図２】図２は、一実施形態に係る取付ユニットの構成を示す斜視図である。
【図３】図３は、一実施形態に係る取付ユニットの構成を示す下面図である。
【図４】図４は、一実施形態に係る取付ユニットに用いられるプレート部材の構成を示す平面図である。
【図５】図５は、一実施形態に係る取付ユニットの構成を示す平面図である。
【発明を実施するための形態】
【００１０】
以下で説明する実施形態に係る取付装置１０は、孔３を有する天井２の下面に取り付けられるとともに、孔３よりも大きいプレート部材２０と、プレート部材２０に設けられ、平面視でプレート部材２０の厚み方向に直交する第１の直線Ｌ１に沿って配置され、照明装置５が取付られる第１の取付孔３０Ａ及び非常灯装置６が取り付けられる第２の取付孔３０Ｂと、プレート部材２０の第１の直線Ｌ１の両側の領域に少なくとも１つずつ設けられ、プレート部材２０を孔３を覆う位置に固定する複数の固定機構４０と、を備える。  
取付装置１０では、第１の取付孔３０Ａの中心Ｃ１及び第２の取付孔３０Ｂの中心Ｃ３は、プレート部材２０の中心Ｃ２からずれた位置に配置される。  
取付装置１０では、固定機構４０は、プレート部材２０の中心Ｃ２を通り、第１の直線Ｌ１及びプレート部材２０の厚み方向に直交する第２の直線Ｌ２上に配置される。  
以下で説明する実施形態に係る照明ユニット１は、孔３を有する天井２の下面に取り付けられるとともに、孔３よりも大きいプレート部材２０と、プレート部材２０に設けられ、平面視でプレート部材２０の厚み方向に直交する第１の直線Ｌ１に沿って配置される第１の取付孔３０Ａ及び第２の取付孔３０Ｂと、プレート部材２０の第１の直線Ｌ１の両側の領域に少なくとも１つずつ設けられ、プレート部材２０を孔３を覆う位置に固定する複数の固定機構４０と、第１の取付孔３０Ａに取り付けられた照明装置５と、第２の取付孔３０Ｂに取り付けられた非常灯装置６と、を備える。
【００１１】
一実施形態に係る取付装置１０を、図１乃至図５を用いて説明する。  
図１は、照明ユニット１が天井２に固定された状態を、天井２を切り欠いて示す側面図である。  
図２は、照明ユニット１の構成を示す斜視図である。  
図３は、照明ユニット１の構成を示す下面図である。  
図４は、取付装置１０に用いられるプレート部材２０の構成を示す平面図である。  
図５は、照明ユニット１の構成を示す平面図である。
【００１２】
図１乃至図３に示すように、照明ユニット１は、照明装置５と、非常灯装置６と、取付装置１０と、を備えている。照明装置５及び非常灯装置６は、取付装置１０に取付られる。照明ユニット１は、天井２に固定されることで、取付装置１０を介して照明装置５及び非常灯装置６を天井２に取り付ける。
【００１３】
照明装置５は、外部電源に電力線により接続される。電力線は、天井２の裏に配線されている。照明装置５は、外部電源から電力線により供給される電力により光源を点灯して光を照射する。照明装置５は、一端に設けられた照射部５ａから外部に光を照射する。照射部５ａは、例えば、照射口である。照射部５ａには、フランジ５ｂが設けられている。
【００１４】
また、照明装置５は、照明装置５を第１の取付孔３０Ａに固定する取付金具５ｃを備えている。取付金具５ｃは、２つ設けられている。取付金具５ｃは、一例として、金属の板部材から形成されており、一方向に長い板状に構成されている。取付金具５ｃは、照射部５ａの近傍に設けられている。
【００１５】
非常灯装置６は、バッテリ６ａを備えている。非常灯装置６は、非常時等に外部から点灯の指示を受けると、バッテリ６ａから供給される電力により光源を点灯させることで、外部に光を照射する。光は、非常灯装置６の一端に設けられた照射部６ｂから照射される。照射部６ｂは、例えば、照射口である。
【００１６】
取付装置１０は、プレート部材２０と、プレート部材２０に設けられた第１の取付孔３０Ａと、プレート部材２０に設けられた第２の取付孔３０Ｂと、プレート部材２０に設けられた固定部３５と、２つの固定機構４０と、を備えている。第１の取付孔３０Ａに照明装置５が取付られ、第２の取付孔３０Ｂに非常灯装置６が取付られる。取付装置１０は、天井２に形成された孔３を覆う位置に、２つの固定機構４０により固定されることで、照明装置５及び非常灯装置６を、天井２に取り付ける。孔３は、天井２に、照明装置５及び非常灯装置６を取付る為の取付孔である。
【００１７】
プレート部材２０は、天井２の下面に、２つの固定機構４０により固定される。プレート部材２０は、孔３を覆う大きさを有している。ここで言う、孔３を覆う大きさとは、プレート部材２０が２つの固定機構４０により天井２に固定された状態において、プレート部材２０の外縁２１が孔３の縁より外側に配置される大きさである。本実施形態では、孔３は、一例として、円形に構成されている。プレート部材２０は、一例として、孔３より大径な円板状に構成されている。
【００１８】
図２に示すように、第１の取付孔３０Ａは、照明装置５の例えば照射部５ａ側の一端を配置可能に形成された孔である。第１の取付孔３０Ａは、一例として、円形の孔に構成されている。第１の取付孔３０Ａの中心Ｃ１は、平面視で、プレート部材２０の中心Ｃ２に対してずれた位置に配置されている。
【００１９】
第２の取付孔３０Ｂは、非常灯装置６の例えば照射部６ｂ側の一端を配置可能に形成された孔である。第２の取付孔３０Ｂは、一例として、円形の孔に構成されている。第２の取付孔３０Ｂの中心Ｃ３は、平面視で、プレート部材２０の中心Ｃ２に対してずれた位置に配置されている。
【００２０】
また、図４に示すように、第１の取付孔３０Ａ及び第２の取付孔３０Ｂは、プレート部材２０の径方向に並んで配置されている。換言すると、第１の取付孔３０Ａ及び第２の取付孔３０Ｂは、プレート部材２０の中心Ｃ２を通りかつ、プレート部材２０の厚み方向に直交する第１の直線Ｌ１に沿って並んで配置されている。
【００２１】
さらに、本実施形態では、第１の取付孔３０Ａ及び第２の取付孔３０Ｂは、それぞれの中心Ｃ１，Ｃ３が第１の直線Ｌ１上に配置される位置に形成されている。なお、第１の取付孔３０Ａ及び第２の取付孔３０Ｂが、第１の直線Ｌ沿って配置されるとは、それぞれの、中心Ｃ１，Ｃ３が、第１の直線Ｌ１上に配置されることに限定されない。例えば、中心Ｃ１，Ｃ３が、第１の直線Ｌ１に対して、ずれて配置されてもよい。
【００２２】
図２に示すように、固定部３５は、プレート部材２０の第１の面２２の、第２の取付孔３０Ｂの近傍に設けられている。  
第１の面２２は、取付装置１０が天井２に取付られたときに、その外縁が天井２の下面に対向する面である。第２の面２３は、取付装置１０が天井２に取付られたときに、室内に面する面である。固定部３５は、第２の取付孔３０Ｂに一端が配置された非常灯装置６が固定可能に構成されている。
【００２３】
図５に示すように、固定機構４０は、一例として、取付金具である。固定機構４０は、一例として、一方向に長い板状の金属板により構成された金具本体４１と、第１の面２２に形成されて金具本体４１が固定される固定部４２と、を備えている。
【００２４】
一方の固定機構４０は、平面視で、第１の面２２の、第１の直線Ｌ１を挟んで一方に設けられている。他方の固定機構４０は、第１の面２２の、第１の直線Ｌ１を挟んで他方に設けられている。さらに、本実施形態では、２つの固定機構４０は、第１の直線Ｌ１を挟んで対称な位置に配置されている
金具本体４１の一端部は、固定部４２の根本部分に固定されている。金具本体４１は、固定部４２から、プレート部材２０の径方向外側に延びている。  固定部４２は、一例として、縦壁状に構成されている。
【００２５】
このように構成された２つの固定機構４０は、平面視で、第１の直線Ｌ１及びプレート部材２０の厚み方向の両方向に直交し、かつプレート部材２０の中心Ｃ２を通る第２の直線Ｌ２上に配置されている。ここで言う、第２の直線Ｌ２上に配置されるとは、平面視で、固定機構４０の一部が第２の直線Ｌ２上に配置されることである。
【００２６】
なお、固定機構４０は、平面視でその中心が、平面視で第２の直線Ｌ２上に配置されることが好ましい。本実施形態では、固定部４２の中心Ｃ４が平面視で第２の直線Ｌ２上に配置され、かつ、金具本体４１の幅方向の中心が、平面視で第２の直線Ｌ２上に配置される。
【００２７】
次に、照明装置５及び非常灯装置６のプレート部材２０への取付作業の一例を説明する。作業者は、照明装置５をプレート部材２０に取付る際には、取付金具５ｃを第１の取付孔３０Ａを通る形状に変形した状態で、照明装置５を、照射部５ａと反対側の一端から、プレート部材２０の第２の面２３側から第１の取付孔３０Ａに挿入する。
【００２８】
作業者は、照明装置５を、フランジ５ｂが第２の面２３に当接する位置まで挿入すると、取付金具５ｃの変形を解除する。変形が解除された取付金具５ｃの一部は、自身の弾性力により復帰すると、第１の取付孔３０Ａの縁と照明装置５とに接触する。取付金具５ｃが自身の弾性力により、第１の取付孔３０Ａの縁及び照明装置５に押し付けられることで、照明装置５が第１の取付孔３０Ａに固定される。  
このように、照明装置５は、第１の取付孔３０Ａに取付られる。
【００２９】
非常灯装置６をプレート部材２０に取付る際には、非常灯装置６の照射部６ｂを、プレート部材２０の第１の面２２側から第２の取付孔３０Ｂに配置する。非常灯装置６は、また、照射部６ｂが第２の取付孔３０Ｂに配置されると、固定部３５に固定される。  
このように、非常灯装置６は、固定部３５に固定されることで、第２の取付孔３０Ｂに取付られる。
【００３０】
次に、取付装置１０を天井２に取付る作業の一例を説明する。作業者は、照明装置５に電力供給用の配線を接続する。次に作業者は、一方の固定機構４０の金具本体４１を、孔３を通して天井２の裏に移動する。
【００３１】
次に作業者は、他方の固定機構４０の金具本体４１をプレート部材２０の径方向内側に変形させることで、当該金具本体４１を、孔３を通過可能な形状に変形させる。次に作業者は、他方の金具本体４１を上述の状態に変形したまま、照明装置５及び非常灯装置６を孔３内に配置し、プレート部材２０を天井２に当接するまで移動する。
【００３２】
プレート部材２０が天井２の下面に当接すると、２つの固定機構４０のそれぞれの金具本体４１は、自身の弾性力により、孔３の縁等に当接する。さらに、２つの金具本体４１は、自身の弾性力により、プレート部材２０との間に天井２を挟持する。
【００３３】
このように、取付装置１０は、金具本体４１及びプレート部材２０の間に天井２が狭持されることで、天井２に固定される。取付装置１０が天井２に固定されることで、照明装置５及び非常灯装置６が天井２に取り付けられる。
【００３４】
このように構成された照明ユニット１によれば、照明装置５及び非常灯装置６を天井２に取付る為に、照明装置５及び非常灯装置６の取付用の孔を、天井２にそれぞれ別々に形成することがない。さらに、取付装置１０を天井２に固定することで、照明装置５及び非常灯装置６を同時に天井２に取り付けることが可能となる。この為、照明装置５及び非常灯装置６の天井２への取付作業の効率を向上できる。
【００３５】
さらに、第１の取付孔３０Ａ及び第２の取付孔３０Ｂのそれぞれの中心Ｃ１，Ｃ３を、プレート部材２０の中心Ｃ２からずらすことで、第１の取付孔３０Ａ及び第２の取付孔３０Ｂのそれぞれに、十分なスペースを配分することが可能となる。この為、プレート部材２０を介して取付られる被取付装置の大きさの自由度を向上できる。
【００３６】
さらに、第１の取付孔３０Ａ及び第２の取付孔３０Ｂが、第１の直線Ｌ１に沿って並んで配置されることから、プレート部材２０の、第１の取付孔３０Ａ及び第２の取付孔３０Ｂを避けた位置に、スペースを確保できる。この為、このスペースを利用して、固定機構４０を配置することが可能となる。さらに、照明装置５及び非常灯装置６のそれぞれの重心が、第１の直線Ｌ１の近傍に位置されるようになる。この為、取付装置１０の取付作業の効率を向上できる。この効果について、具体的に説明する。
【００３７】
取付装置１０の重心が、取付装置１０の中心からずれると、作業者は取付装置１０を持ちにくくなる。しかしながら、本実施形態では、取付装置１０の重心は、プレート部材２０の平面視で、第１の直線Ｌ１に近い位置に配置される。この為、取付装置１０は、比較的手に持ちやすくなる。取付装置１０を手に持ちやすくなることで、取付作業の効率を向上できる。
【００３８】
さらに、プレート部材２０の第１の面２２の、平面視で第１の直線Ｌ１を挟んだ両側のそれぞれに、固定機構４０が設けられている。この為、固定機構４０をプレート部材２０にバランスよく配置できるので、取付装置１０の重心を、プレート部材２０の平面視で、プレート部材２０の中心に近い位置に配置することが可能となる。この為、取付装置１０を手に持ちやすくなるので、取付装置１０の取付作業の効率を向上できる。
【００３９】
さらに、２つの固定機構４０は、平面視で、第２の直線Ｌ２上に配置されている。この為、取付装置１０の重心を、プレート部材２０の平面視で、プレート部材２０の中心により近い位置に配置することが可能となる。
【００４０】
さらに、２つの固定機構４０は、それぞれの中心が平面視で第２の直線Ｌ２上に配置されている。この為、取付装置１０の重心を、プレート部材２０の平面視で、プレート部材２０の中心により近い位置に配置することが可能となる。
【００４１】
なお、上述の実施形態においては、取付装置１０により天井２に取付られる被取付装置は、一例として、２つ（照明装置５及び非常灯装置６）用いられる構成が説明されたが、これに限定されない。被取付装置の数は、３つ以上であってもよい。この構成の場合、プレート部材２０に設けられる、被取付装置が取付られる取付部の数は、３つ以上となる。例えば、照明装置が３つ以上設けられる場合には、一例として、取付部としての孔が照明装置の数に応じて３つ以上形成される。
【００４２】
取付装置１０が３つ以上の取付部を備える構成であっても、これら３つ以上の取付部のそれぞれの中心が、プレート部材２０の中心からずれて配置されることで、各取付部に、十分なスペースを配分することが可能となる。取付装置１０が３つ以上の取付部を備える構成であっても、これら３つ以上の取付部が、平面視で、第１の直線Ｌ１に沿って配置されることで、これら３つ以上の取付部を避けた位置に、スペースを確保できる。
【００４３】
また、上述の実施形態においては、取付装置１０は、２つの固定機構４０を備える構成が説明されたが、これに限定されない。固定機構４０は、３つ以上設けられてもよい。固定機構４０が３つ以上設けられる構成の場合では、プレート部材２０の第１の直線Ｌ１の両側に固定機構４０が少なくとも１つずつ配置されることで、３つ以上の固定機構４０をプレート部材２０にバランスよく配置できるので、取付装置１０の重心を、プレート部材２０の平面視で、プレート部材２０の中心に近い位置に配置することが可能となる。
【００４４】
なお、３つ以上の固定機構４０が設けられる場合は、第１の直線Ｌ１の両側のそれぞれに、略同数となる固定機構４０を配置することが好ましい。
【００４５】
また、上述の実施形態においては、取付装置１０を介して天井２に取付られる被取付装置として、照明装置５及び非常灯装置６が説明されたが、これに限定されない。被取付装置は、他の例では、人感センサ等のセンサであってもよい。
【００４６】
また、上述の実施形態においては、取付装置１０は、被取付装置が取付られる取付部として、第１の取付孔３０Ａ、及び第２の取付孔３０Ｂが説明された。すなわち、照明装置５及び非常灯装置６は、室内を照明する構成であることから、照明装置５及び非常灯装置６を取付る取付部は、孔に構成された。しかしながら、取付部は、孔に構成されることに限定されない。
【００４７】
例えば、被取付装置が、室内に配置する必要がない装置である場合には、取付部は、プレート部材２０の第１の面２２に設けられればよい。そして、この取付部は、例えば、被取付装置の一部を配置することで被取付装置が取付られる溝に構成されてもよい。
【００４８】
また、取付部は、特別な構成を有さず、単に、被取付装置が配置されるスペースであってもよい。例えば、被取付装置自体が、照明装置５のように固定部を備える場合がある。このような被取付装置に対しては、取付部として、被取付装置を配置可能なスペースのみであってもよい。
【００４９】
また、上述の実施形態では、照明装置５及び非常灯装置６が取付られる取付部は、孔であったが、これに限定されない。例えば、プレート部材２０が、光を透過可能な材料で構成されている場合は、照明装置５及び非常灯装置６が取付られる取付部は、孔ではなく、第１の面２２に形成された、それぞれの照射部５ａ，６ｂを配置する溝であってもよい。
【００５０】
また、上述の実施形態においては、取付装置１０は、天井２に取付られた例が説明されたが、これに限定されない。取付装置１０は、室内の側面を規定する側壁部に形成された孔に固定されてもよい。  
また、上述の実施形態においては、取付装置１０が固取り付けられる取付先となる天井２の孔３は、一例として円に形成された例を説明したが、これに限定されない。孔３は、例えば、多角形となる孔に形成されてもよい。
【００５１】
以上説明した実施形態及び変形例によれば、照明装置５及び非常灯装置６を天井２に取付る作業の効率を向上できる。
【００５２】
本発明のいくつかの実施形態及び変形例を説明したが、これらの実施形態及び変形例は、例として提示したものであり、発明の範囲を限定することは意図していない。これら新規な実施形態及び変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…照明ユニット、２…天井（取付先）、３…孔、５…照明装置（被取付装置）、６…非常灯装置（被取付装置）、６ａ…バッテリ、１０…取付装置、２０…プレート部材、３０Ａ…第１の取付孔、３０Ｂ…第２の取付孔、３５…固定部、４０…固定機構、４２…固定部、Ｃ１…中心、Ｃ２…中心、Ｃ３…中心、Ｌ１…第１の直線、Ｌ２…第２の直線。
【図１】
2020053135.tif 000003
【図２】
2020053135.tif 000004
【図３】
2020053135.tif 000005
【図４】
2020053135.tif 000006
【図５】
2020053135.tif 000007